(57)【要約】【課題】ＧＦの通信中において、上りリンクのＳＲ最大送信回数超過に起因する上りリンク同期再確立処理が発生した場合、通信が遅延するなどの懸念がある。【解決手段】基地局装置および移動局装置を少なくとも含む通信システムの移動局装置であって、ＳＲを前記ＳＲ用に設定された物理上りリンク制御チャネルを使用して前記基地局装置に送信する送信部と、ＳＲの送信回数をカウントするＳＲ送信回数カウンタ部と、前記ＳＲの送信回数がＲＲＣによって設定されたＳＲ最大送信回数に達し、かつＳＲ送信機会が発生した場合に、サービングセルに構成されているすべての構成済み上りリンクグラントタイプ１をサスペンドし、ＳｐＣｅｌｌ上でＲＡ手順を開始し、前記ＲＡ手順が成功した場合に、前記サービングセルに構成およびサスペンドされている前記すべての構成済み上りリンクグラントタイプ１を再初期化する制御部と、を備える。【選択図】図２
2019198012.tif 000002
【特許請求の範囲】
【請求項１】
基地局装置および移動局装置を少なくとも含む通信システムの移動局装置であって、
スケジューリングリクエストを前記スケジューリングリクエスト用に設定された物理上りリンク制御チャネルを使用して前記基地局装置に送信する送信部と、
スケジューリングリクエストの送信回数をカウントするスケジューリングリクエスト送信回数カウンタ部と、
前記スケジューリングリクエストの送信回数がＲＲＣによって設定されたスケジューリングリクエスト最大送信回数に達し、かつスケジューリングリクエスト送信機会が発生した場合に、サービングセルに構成されているすべての構成済み上りリンクグラントタイプ１をサスペンドし、
スペシャルセル上でランダムアクセス手順を開始し、
前記ランダムアクセス手順が成功した場合に、前記サービングセルに構成およびサスペンドされている前記すべての構成済み上りリンクグラントタイプ１を再初期化する制御部と、
を備える移動局装置。
【請求項２】
前記制御部は、前記スケジューリングリクエストの送信回数がＲＲＣによって設定されたスケジューリングリクエスト最大送信回数に達し、かつスケジューリングリクエスト送信機会が発生した場合に、すべてのサービングセルに構成されているすべての構成済み上りリンクグラントタイプ１をサスペンドし、前記ランダムアクセス手順が成功した場合に、前記すべてのサービングセルに構成およびサスペンドされている前記すべての構成済み上りリンクグラントタイプ１を再初期化する、請求項１記載の移動局装置。
【請求項３】
前記制御部は、前記スケジューリングリクエストの送信回数がＲＲＣによって設定されたスケジューリングリクエスト最大送信回数に達し、かつスケジューリングリクエスト送信機会が発生した場合に、前記スケジューリングリクエストの送信に係るサービングセルに構成されている構成済み上りリンクグラントタイプ１をサスペンドし、前記ランダムアクセス手順が成功した場合に、前記サービングセルに構成およびサスペンドされている前記構成済み上りリンクグラントタイプ１を再初期化する、請求項１記載の移動局装置。
【請求項４】
前記制御部は、前記サービングセルに複数の上りリンクＢＷＰが設定され、前記複数の上りリンクＢＷＰ毎に構成された前記構成済み上りリンクグラントタイプ１がサスペンドされている場合、前記スペシャルセル上での前記ランダムアクセス手順が成功したときにアクティブとなる前記上りリンクＢＷＰに構成およびサスペンドされている前記構成済み上りリンクグラントタイプ１を再初期化する、請求項１記載の移動局装置。
【請求項５】
前記制御部は、前記スケジューリングリクエストの送信回数がＲＲＣによって設定されたスケジューリングリクエスト最大送信回数に達し、かつスケジューリングリクエスト送信機会が発生した場合に、前記スケジューリングリクエストに係るサービングセルが属するＴＡＧに含まれるすべてのサービングセルに構成されているすべての構成済み上りリンクグラントタイプ１をサスペンドし、前記ランダムアクセス手順が成功した場合に、前記ＴＡＧに含まれるすべてのサービングセルに構成およびサスペンドされているすべての前記構成済み上りリンクグラントタイプ１を再初期化する、請求項１記載の移動局装置。
【請求項６】
基地局装置および移動局装置を少なくとも含む通信システムの移動局装置であって、
スケジューリングリクエストを前記スケジューリングリクエスト用に設定された物理上りリンク制御チャネルを使用して前記基地局装置に送信する送信部と、
スケジューリングリクエストの送信回数をカウントするスケジューリングリクエスト送信回数カウンタ部と、
前記スケジューリングリクエストの送信回数がＲＲＣによって設定されたスケジューリングリクエスト最大送信回数に達し、かつスケジューリングリクエスト送信機会が発生した場合に、
サービングセルに構成されているすべての構成済み上りリンクグラントタイプ１をクリアし、
前記サービングセルに構成されている前記すべての構成済み上りリンクグラントタイプ１のリリースをＲＲＣに通知する制御部と、
を備える移動局装置。
【請求項７】
前記制御部は、前記スケジューリングリクエストの送信に係るサービングセルに構成されている構成済み上りリンクグラントタイプ１をクリアし、前記サービングセルに構成されている構成済み上りリンクグラントタイプ１のリリースをＲＲＣに通知する、請求項６記載の移動局装置。
【請求項８】
前記制御部は、前記サービングセルのアクティブ上りリンクＢＷＰに構成されている構成済み上りリンクグラントタイプ１をクリアし、前記アクティブ上りリンクＢＷＰに構成されている構成済み上りリンクグラントタイプ１のリリースをＲＲＣに通知する、請求項６記載の移動局装置。
【請求項９】
前記制御部は、前記サービングセルが属するＴＡＧに含まれるすべてのサービングセルに構成されている構成済み上りリンクグラントタイプ１をクリアし、前記ＴＡＧに含まれるすべてのサービングセルに構成されている構成済み上りリンクグラントタイプ１のリリースをＲＲＣに通知する、請求項６記載の移動局装置。
【請求項１０】
前記制御部は、前記スケジューリングリクエストの送信回数が前記スケジューリングリクエスト最大送信回数に達し、かつスケジューリングリクエスト送信機会が発生した場合に、前記構成済み上りリンクグラントタイプ１に係る上りリンクデータ送信を停止する、請求項６から請求項９に記載の移動局装置。
【発明の詳細な説明】
【技術分野】
【０００１】
本発明は、基地局装置、移動局装置およびその通信方法に関する。
【背景技術】
【０００２】
標準化団体３ＧＰＰ（３ｒｄ  Ｇｅｎｅｒａｔｉｏｎ  Ｐａｒｔｎｅｒｓｈｉｐ  Ｐｒｏｊｅｃｔ）において、第３世代の移動通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（「ＥＵＴＲＡ」もしくは「ＬＴＥ」とも呼称される）と、更にその発展形である第４世代の移動通信方式であるＡｄｖａｎｃｅｄ  ＥＵＴＲＡ（「ＬＴＥ−Ａｄｖａｎｃｅｄ」もしくは「ＬＴＥ−Ａ」とも呼称される）の仕様規格化が行われ、それを利用した移動体通信の商用化が各国で行われている（非特許文献１）。また近年、３ＧＰＰでは第５世代移動通信方式であるＮＲ（Ｎｅｗ  Ｒａｄｉｏ）の技術の検討および仕様規格化が進んでいる（非特許文献２）。
【０００３】
スケジューリング（通信リソース割り当て）技術の一つとして、セミパーシステントスケジューリング（ＳＰＳ：Ｓｅｍｉ−Ｐｅｒｓｉｓｔｅｎｔ  Ｓｃｈｅｄｕｌｉｎｇ）による通信リソースの周期的な割り当て方法がある。これは、サブフレーム毎に通信リソースの割り当てを上りリンクグラントまたは下りリンクアサインメントと呼ばれるシグナリングで行うダイナミックスケジューリングとは異なり、予め決められた設定（時間間隔、変調方式、開始タイミング、繰り返し回数など）で通信リソースの割り当てを行うことにより、制御信号によるオーバヘッドを少なくして効率的な通信を可能とする技術である。ＳＰＳは従来のＬＴＥおよびＬＴＥ−Ａｄｖａｎｃｅｄでも採用されており、音声サービスなどリアルタイム性を要求される通信に利用されてきたが、ＮＲでもＳＰＳのさらなる進化を目的とした検討および仕様規格化が進んでいる。また、上りリンクのＳＰＳを応用し、基地局装置から移動局装置に対して割り当てられる上りリンクグラントがなくても、移動局装置から基地局装置に上りリンクデータ送信が可能となる上りリンクグラントフリー（ＧＦ：Ｇｒａｎｔ  Ｆｒｅｅ）による通信方式についても、検討および仕様規格化が進んでいる。
【先行技術文献】
【非特許文献】
【０００４】
【非特許文献１】"3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 14)"  3GPP TS 36.300 V14.3.0 (2017-06)
【非特許文献２】"3rd Generation Partnership Project; Technical Specification Group Radio Access Network; NR; NR and NG-RAN Overall Description; Stage 2 (Release 15)"  3GPP TS 38.300 V15.1.0 (2018-03)
【発明の概要】
【発明が解決しようとする課題】
【０００５】
ＧＦの通信中において、上りリンクのスケジューリングリクエスト最大送信回数超過に起因する上りリンク再同期確立処理が発生した場合、通信が遅延するなどの懸念がある。
【０００６】
本発明はこのような事情を鑑みてなされたものであり、その目的は、ＧＦの通信中に上りリンクのスケジューリングリクエスト最大送信回数超過に起因する上りリンク再同期確立処理が発生した場合でも、通信の遅延を低減することができる移動局装置及び通信方法
を提供することにある。
【課題を解決するための手段】
【０００７】
（１）この発明は上述した課題を解決するためになされたもので、本発明の一態様による基地局装置および移動局装置を少なくとも含む通信システムの移動局装置であって、スケジューリングリクエストを前記スケジューリングリクエスト用に設定された物理上りリンク制御チャネルを使用して前記基地局装置に送信する送信部と、スケジューリングリクエストの送信回数をカウントするスケジューリングリクエスト送信回数カウンタ部と、前記スケジューリングリクエストの送信回数がＲＲＣによって設定されたスケジューリングリクエスト最大送信回数に達し、かつスケジューリングリクエスト送信機会が発生した場合に、サービングセルに構成されているすべての構成済み上りリンクグラントタイプ１をサスペンドし、スペシャルセル上でランダムアクセス手順を開始し、前記ランダムアクセス手順が成功した場合に、前記サービングセルに構成およびサスペンドされている前記すべての構成済み上りリンクグラントタイプ１を再初期化する制御部と、を備える。
【０００８】
（２）また、本発明の一態様による移動局装置は上記の移動局装置であって、前記制御部は、前記スケジューリングリクエストの送信回数がＲＲＣによって設定されたスケジューリングリクエスト最大送信回数に達し、かつスケジューリングリクエスト送信機会が発生した場合に、すべてのサービングセルに構成されているすべての構成済み上りリンクグラントタイプ１をサスペンドし、前記ランダムアクセス手順が成功した場合に、前記サービングセルに構成およびサスペンドされている前記すべての構成済み上りリンクグラントタイプ１を再初期化する。
【０００９】
（３）また、本発明の一態様による移動局装置は上記の移動局装置であって、前記制御部は、前記スケジューリングリクエストの送信回数がＲＲＣによって設定されたスケジューリングリクエスト最大送信回数に達し、かつスケジューリングリクエスト送信機会が発生した場合に、前記スケジューリングリクエストの送信に係るサービングセルに構成されている構成済み上りリンクグラントタイプ１をサスペンドし、前記ランダムアクセス手順が成功した場合に、前記サービングセルに構成およびサスペンドされている前記構成済み上りリンクグラントタイプ１を再初期化する。
【００１０】
（４）また、本発明の一態様による移動局装置は上記の移動局装置であって、前記制御部は、前記サービングセルに複数の上りリンクＢＷＰが設定され、前記複数の上りリンクＢＷＰ毎に構成された前記構成済み上りリンクグラントタイプ１がサスペンドされている場合、前記スペシャルセル上での前記ランダムアクセス手順が成功したときにアクティブとなる前記上りリンクＢＷＰに構成およびサスペンドされている前記構成済み上りリンクグラントタイプ１を再初期化する。
【００１１】
（５）また、本発明の一態様による移動局装置は上記の移動局装置であって、前記制御部は、前記スケジューリングリクエストの送信回数がＲＲＣによって設定されたスケジューリングリクエスト最大送信回数に達し、かつスケジューリングリクエスト送信機会が発生した場合に、前記スケジューリングリクエストに係るサービングセルが属するＴＡＧに含まれるすべてのサービングセルに構成されているすべての構成済み上りリンクグラントタイプ１をサスペンドし、前記ランダムアクセス手順が成功した場合に、前記ＴＡＧに含まれるすべてのサービングセルに構成およびサスペンドされているすべての前記構成済み上りリンクグラントタイプ１を再初期化する。
【００１２】
（６）また、本発明の一態様による基地局装置および移動局装置を少なくとも含む通信システムの移動局装置であって、スケジューリングリクエストを前記スケジューリングリクエスト用に設定された物理上りリンク制御チャネルを使用して前記基地局装置に送信す
る送信部と、スケジューリングリクエストの送信回数をカウントするスケジューリングリクエスト送信回数カウンタ部と、前記スケジューリングリクエストの送信回数がＲＲＣによって設定されたスケジューリングリクエスト最大送信回数に達し、かつスケジューリングリクエスト送信機会が発生した場合に、サービングセルに構成されているすべての構成済み上りリンクグラントタイプ１をクリアし、前記すべてのサービングセルに構成されている前記構成済み上りリンクグラントタイプ１のリリースをＲＲＣに通知する制御部と、を備える。
【００１３】
（７）また、本発明の一態様による移動局装置は上記の移動局装置であって、前記制御部は、前記スケジューリングリクエストの送信に係るサービングセルに構成されている構成済み上りリンクグラントタイプ１をクリアし、前記サービングセルに構成されている構成済み上りリンクグラントタイプ１のリリースをＲＲＣに通知する。
【００１４】
（８）また、本発明の一態様による移動局装置は上記の移動局装置であって、前記制御部は、前記サービングセルのアクティブ上りリンクＢＷＰに構成されている構成済み上りリンクグラントタイプ１をクリアし、前記アクティブ上りリンクＢＷＰに構成されている構成済み上りリンクグラントタイプ１のリリースをＲＲＣに通知する。
【００１５】
（９）また、本発明の一態様による移動局装置は上記の移動局装置であって、前記制御部は、前記サービングセルが属するＴＡＧに含まれるすべてのサービングセルに構成されている構成済み上りリンクグラントタイプ１をクリアし、前記ＴＡＧに含まれるすべてのサービングセルに構成されている構成済み上りリンクグラントタイプ１のリリースをＲＲＣに通知する。
【００１６】
（１０）また、本発明の一態様による移動局装置は上記の移動局装置であって、前記制御部は、前記スケジューリングリクエストの送信回数が前記スケジューリングリクエスト最大送信回数に達し、かつスケジューリングリクエスト送信機会が発生した場合に、前記構成済み上りリンクグラントタイプ１に係る上りリンクデータ送信を停止する。
【発明の効果】
【００１７】
この発明によれば、ＧＦの通信中に上りリンクのスケジューリングリクエスト最大送信回数超過に起因する上りリンク再同期確立処理が発生した場合でも、通信の遅延を低減することができる。
【図面の簡単な説明】
【００１８】
【図１】本発明の一態様における、移動局装置内のＭＡＣエンティティの構成の一例を示す図である。
【図２】本発明の一態様における、各時間における基地局装置と移動局装置のメッセージおよびデータの送受信の流れと、移動局装置におけるＧＦの状態の変化の一例を示す図である。
【発明を実施するための形態】
【００１９】
本発明の実施形態を説明する前に、本発明に係るＧＦおよびＳＰＳ、セルアクティベーション・デアクティベーション、ＢＷＰ（Ｂａｎｄｗｉｄｔｈ  Ｐａｒｔ）スイッチング、上りリンクタイミング調整、スケジューリングリクエスト、およびランダムアクセス手順について説明する。
【００２０】
［ＧＦ・ＳＰＳ］
ダイナミックスケジューリングの上りリンクグラントをダイナミックグラントと呼称するのに対して、上りリンクのＳＰＳおよびＧＦの上りリンクグラントは、予め決められた
構成の送信用物理リソースで送信を許可するという意味合いから、構成済みグラント（ｃｏｎｆｉｇｕｒｅｄ  ｇｒａｎｔ）もしくは構成済み上りリンクグラント（ｃｏｎｆｉｇｕｒｅｄ  ｕｐｌｉｎｋ  ｇｒａｎｔ）と呼称されることもある。同様に、下りリンクＳＰＳでは、予め割り当てられた設定の受信用物理リソースを使用して受信を行うことから、構成済みアサインメント（ｃｏｎｆｉｇｕｒｅｄ  ａｓｓｉｇｎｍｅｎｔ）もしくは構成済み下りリンクアサインメント（ｃｏｎｆｉｇｕｒｅｄ  ｄｏｗｎｌｉｎｋ  ａｓｓｉｇｎｍｅｎｔ）と呼称されることもある。３ＧＰＰのＮＲの仕様規格化においては、上りリンクＳＰＳとＧＦおよび下りリンクＳＰＳを合わせて「Ｔｒａｎｓｍｉｓｓｉｏｎ／Ｒｅｃｅｐｔｉｏｎ  ｗｉｔｈｏｕｔ  ｄｙｎａｍｉｃ  ｓｃｈｅｄｕｌｉｎｇ」と呼称し、下りリンクのＳＰＳを「ＤＬ−ＳＰＳ」、ＧＦおよび上りリンクのＳＰＳをそれぞれ「ｃｏｎｆｉｇｕｒｅｄ  ｇｒａｎｔ  Ｔｙｐｅ  １」、「ｃｏｎｆｉｇｕｒｅｄ  ｇｒａｎｔ  Ｔｙｐｅ  ２」と呼称する方向で仕様規格化が進められている。なお、以下の説明においては、便宜的に「ｃｏｎｆｉｇｕｒｅｄ  ｇｒａｎｔ  Ｔｙｐｅ  １」をＧＦ、「ｃｏｎｆｉｇｕｒｅｄ  ｇｒａｎｔ  Ｔｙｐｅ  ２」をＵＬ−ＳＰＳ、下りリンクのＳＰＳをＤＬ−ＳＰＳと記載する。
【００２１】
ＧＦのアクティベーションは、ＲＲＣ（Ｒａｄｉｏ  Ｒｅｓｏｕｒｃｅ  Ｃｏｎｔｒｏｌ）などの上位レイヤから周期的物理チャネルリソースの割り当てや送信開始タイミングオフセット、ＨＡＲＱ（Ｈｙｂｒｉｄ  Ａｕｔｏｍａｔｉｃ  Ｒｅｐｅａｔ  Ｒｅｑｕｅｓｔ）プロセス数、およびＣＳ−ＲＮＴＩ（Ｃｏｎｆｉｇｕｒｅｄ  Ｓｃｈｅｄｕｌｉｎｇ  Ｒａｄｉｏ  Ｎｅｔｗｏｒｋ  Ｔｅｍｐｏｒａｒｙ  Ｉｄｅｎｔｉｆｉｃａｔｉｏｎ）などが設定され、その設定を保存し、設定された送信開始タイミングで構成済み上りリンクグラントの初期化を行うことにより行われる。一方、ＵＬ−ＳＰＳは、ＲＲＣから物理リソースの周期、ＨＡＲＱプロセス数、およびＣＳ−ＲＮＴＩなどの設定が予め行われるが、アクティベーションはＰＤＣＣＨ（Ｐｈｙｓｉｃａｌ  Ｄｏｗｎｌｉｎｋ  Ｃｏｎｔｒｏｌ  Ｃｈａｎｎｅｌ）を通じて下りリンク制御情報（ＤＣＩ：Ｄｏｗｎｌｉｎｋ  Ｃｏｎｔｒｏｌ  Ｉｎｆｏｒｍａｔｉｏｎ）に含まれる上りリンクグラントの受信によって行われる。なお、サービングセルもしくは後述するＢＷＰに構成されたＧＦは、後述するサービングセルのデアクティブ遷移や、ＢＷＰのインアクティブ遷移により、ＲＲＣからの設定情報を保持したまま送信を停止する。これをサスペンドと言う。サスペンド状態のＧＦは、次のサービングセルのアクティブ遷移もしくはＢＷＰのアクティブ遷移によって再初期化が行われ、再び送信が可能となる。一方、ＵＬ−ＳＰＳは、サービングセルのでアクティブ遷移やＢＷＰのインアクティブ遷移によってその構成がクリアされ、その後サービングセルのアクティブ遷移やＢＷＰのアクティブ遷移が行われても、前述のＤＣＩによるアクティベーションが行われない限り、送信することができない。
【００２２】
［セルアクティベーション・デアクティベーション］
ＬＴＥおよびＬＴＥ−Ａでは、ＵＬ−ＳＰＳおよびＤＬ−ＳＰＳの設定はスペシャルセル（ＳｐＣｅｌｌ）と呼ばれるプライマリセル（ＰＣｅｌｌ）およびプライマリセカンダリセル（ＰＳＣｅｌｌ）上にのみ設定が許可されていたが、３ＧＰＰの第５世代通信方式仕様においては、セカンダリセル（ＳＣｅｌｌ）上にもＤＬ−ＳＰＳ、ＵＬ−ＳＰＳおよびＧＦの設定ができるようになった。セカンダリセルはネットワークによりアクティブ状態・非アクティブ状態を制御され、非アクティブ状態では送受信ともに行われない。セカンダリセルをアクティブ状態にするアクティベーション、および非アクティブ状態にするデアクティベーションは、基地局装置から移動局装置に送信されるＳＣｅｌｌ  Ａｃｔｉｖａｔｉｏｎ／Ｄｅａｃｔｉｖａｔｉｏｎ  ＭＡＣ  Ｃｏｎｔｒｏｌ  Ｅｌｅｍｅｎｔ（ＣＥ）によって指示される。さらに、各セカンダリセルにはｓＣｅｌｌデアクティベーションタイマ（ｓＣｅｌｌＤｅａｃｔｉｖａｔｉｏｎＴｉｍｅｒ）が設定される。ｓＣｅｌｌデアクティベーションタイマは、そのセカンダリセルのアクティベーションまたはデアクティベーションを指示するＳＣｅｌｌ  Ａｃｔｉｖａｔｉｏｎ／Ｄｅａｃｔｉｖａｔ
ｉｏｎ  ＭＡＣ  ＣＥを基地局装置から受信した場合に起動もしくは再起動される。また、そのセカンダリセルのＰＤＣＣＨ（Ｐｈｙｓｉｃａｌ  Ｄｏｗｎｌｉｎｋ  Ｃｏｎｔｒｏｌ  ＣＨａｎｎｅｌ；物理下りリンク制御チャネル）で上りリンクグラントや下りリンクアサインメントを受信した場合や、他のサービングセルのＰＤＣＣＨでそのセカンダリセルに関する上りリンクグラントや下りリンクアサインメントを受信した場合にも再起動される。また、ｓＣｅｌｌデアクティベーションタイマが満了した場合、それが設定されているセカンダリセルはデアクティベートされ、次にアクティベートされるまで、上りリンク上での制御信号とデータ送信、および下りリンク上での制御信号とデータ受信は一切行われなくなる。また、稼働中のｓＣｅｌｌデアクティベーションタイマに関連付けされているセカンダリセルに対して、Ａｃｔｉｖａｔｉｏｎ／Ｄｅａｃｔｉｖａｔｉｏｎ  ＭＡＣ  ＣＥによってデアクティベーションが指示された場合や、ＲＲＣによるリリースが行われた場合は、そのｓＣｅｌｌデアクティベーションタイマを停止する。
【００２３】
［ＢＷＰスイッチング］
サービングセル上の物理リソースを複数の周波数帯域に分割し、各周波数帯域を切り替えて使用する技術をＢＷＰ（Ｂａｎｄｗｉｄｔｈ  Ｐａｒｔ）と呼ぶ。サービングセル上に複数のＢＷＰが設定された場合、デフォルトの下りリンクＢＷＰ（デフォルトの下りリンクＢＷＰが設定されない場合は初期下りリンクＢＷＰ）以外の下りリンクＢＷＰがアクティブ状態のときは、ＢＷＰインアクティビティタイマ（ｂａｎｄｗｉｄｔｈＰａｒｔＩｎａｃｔｉｖｉｔｙＴｉｍｅｒ）が設定および起動される。ＢＷＰインアクティビティタイマはそれが設定されているアクティブ下りリンクＢＷＰのＰＤＣＣＨ（Ｐｈｙｓｉｃａｌ  Ｄｏｗｎｌｉｎｋ  Ｃｏｎｔｒｏｌ  ＣＨａｎｎｅｌ；物理下りリンク制御チャネル）で上りリンクグラントや下りリンクアサインメントを受信した場合に再起動されるが、他のサービングセルのＰＤＣＣＨでそのアクティブ下りリンクＢＷＰに関する上りリンクグラントや下りリンクアサインメントを受信した場合には再起動は行われない。また、ＢＷＰインアクティビティタイマが満了した場合、それが設定されている下りリンクＢＷＰからデフォルトの下りリンクＢＷＰ（デフォルトの下りリンクＢＷＰが設定されない場合は初期下りリンクＢＷＰ）にスイッチされ、そのサービングセル上での通信は継続される。なお、ＧＦおよびＵＬ−ＳＰＳは、上りリンクＢＷＰ毎に構成が可能であり、ＤＬ−ＳＰＳも下りリンクＢＷＰ毎に構成が可能である。アクティブ状態の上りリンクＢＷＰにＧＦが構成されていて、その上りリンクＢＷＰがスイッチによってインアクティブに変化した場合はＧＦがサスペンドされ、次に上りリンクＢＷＰがアクティブになったときにサスペンドされたＧＦが再初期化されアクティブになる。
【００２４】
［上りリンクタイミング調整］
上りリンク物理チャネルの送信タイミング（以下、上りリンクタイミングと略す）が同じサービングセルをＴＡＧ（Ｔｉｍｉｎｇ  Ａｄｖａｎｃｅ  Ｇｒｏｕｐ）というグルーピングによって管理することができる。ＴＡＧには１つのＳｐＣｅｌｌを含むＰＴＡＧ（Ｐｒｉｍａｒｙ  ＴＡＧ）と、ＳｐＣｅｌｌを含まないＳＴＡＧ（Ｓｅｃｏｎｄａｒｙ  ＴＡＧ）に分類される。どのサービングセルがどのＴＡＧに属するかは、ＲＲＣの設定による。また、上りリンクタイミングの調整は、基地局装置から送信されるＴＡコマンド（Ｔｉｍｉｎｇ  Ａｄｖａｎｃｅ  Ｃｏｍｍａｎｄ）ＭＡＣ  ＣＥによって行われる。ＴＡコマンドＭＡＣ  ＣＥにはＴＡＧ識別子（ＴＡＧ−ｉｄ）と、上りリンクタイミング調整値を示すインデックスが含まれ、ＴＡＧ識別子で示されるＴＡＧに属するすべてのサービングセルの上りリンクタイミングが、インデックスで示される上りリンクタイミング調整値で調整される。また、上りリンクタイミング調整の状況は上りリンクタイミング調整タイマ（ｔｉｍｅＡｌｉｇｎｍｅｎｔＴｉｍｅｒ）を使って監視する。上りリンクタイミング調整タイマは、ＴＡＧ毎に関連付けされる。ＴＡコマンドＭＡＣ  ＣＥを受信し、そのＴＡＧ識別子に対するＴＡＧの上りタイミング調整が行われた場合、そのＴＡＧに関連付けされる上りリンクタイミング調整タイマに、ＲＲＣ設定関連メッセージに内に含まれ
る初期値を設定し、起動もしくは再起動を行う。起動もしくは再起動された上りリンクタイミング調整タイマは、停止が行われるか、もしくは前述の初期値で示される時間が経過して満了するまで稼働する。上りリンクタイミング調整タイマが稼働中に、その上りリンクタイミング調整タイマに関連づけられるＴＡＧに対するＴＡコマンドＭＡＣ  ＣＥを受信せず、その後上りリンクタイミング調整タイマが満了した場合、そのＴＡＧに属するすべてのサービングセルが上りリンクの同期外れになったと判断し、そのＴＡＧに属するすべてのサービングセルにおけるすべての上りリンク送信を停止し、上りリンクの再同期確立処理を行う。なお、ＰＴＡＧに関連付けされる上りリンクタイミング調整タイマが期限切れとなった場合は、ＰＴＡＧだけでなく、その他のすべてのＳＴＡＧに関連付けされる上りリンクタイミング調整タイマも期限切れとなったとし、すべてのＴＡＧに属するサービングセルの再同期確立が行われる。
【００２５】
［スケジューリングリクエスト］
移動局装置は、送信すべき上りリンクデータがあり、かつ上りリンクデータ送信に使用するためのＵＬ−ＳＣＨ（Ｕｐｌｉｎｋ  Ｓｈａｒｅｄ  Ｃｈａｎｎｅｌ：上りリンク共有チャネル）リソースの割り当てが無い場合に、スケジューリングリクエスト（Ｓｃｈｅｄｕｌｉｎｇ  Ｒｅｑｕｅｓｔ：以下、ＳＲと略す）を基地局装置に送信し、上りリンク物理通信リソースの割り当てを要求することができる。ＳＲは、ＰＵＣＣＨ（Ｐｈｙｓｉｃａｌ  Ｕｐｌｉｎｋ  Ｃｏｎｔｒｏｌ  ＣＨａｎｎｅｌ：物理上りリンク制御チャネル）上にＳＲ送信用として構成された通信リソースを使用して送信される。送るべきＳＲと、そのＳＲを送信するためのＰＵＣＣＨリソースがあり、ＳＲが送信可能となるタイミングをＳＲ送信機会と呼ぶ。なお、ＳＲ送信用のＰＵＣＣＨリソースと、他の上りリンクデータ送信に割り当てられたＵＬ−ＳＣＨリソース、あるいは下りリンク通信品質測定用に設定されたギャップ（上りリンク送信不可）などが重なった場合、ＳＲの送信は行われず、次のＳＲ送信機会まで延期されることがある。ＳＲの送信が行われた場合、ＳＲ送信禁止タイマを起動する。ＳＲ送信禁止タイマが起動中のときは、ＳＲ送信機会でもＳＲの送信は行われない。基地局装置からＵＬ−ＳＣＨリソースの割り当てを含む上りリンクグラントを受信するまで、ＳＲ送信機会の都度ＳＲが送信される。なお、ＳＲの送信回数に対してＲＲＣによって予め最大送信回数が設定される。これをＳＲ最大送信回数（ｓｒ−ＴｒａｎｓＭａｘ）と呼ぶ。ＳＲの送信がトリガされたときにＳＲ送信回数カウンタ（ＳＲ＿ＣＯＵＮＴＥＲ）が０に設定され、ＳＲが送信される度にＳＲ送信回数カウンタがインクリメントされる。そして、ＳＲ送信回数カウンタの値がＳＲ最大送信回数に達するまでＳＲの送信が行われ、その後も基地局装置からＵＬ−ＳＣＨリソース割り当てを含む上りリンクグラントを受信せず、次のＳＲ送信機会になった場合は、すべてのサービングセルでの上りリンク送信を停止し、ＳｐＣｅｌｌ上で後述するランダムアクセス手順を開始し、上りリンク同期再確立処理を行う。
【００２６】
［ランダムアクセス（ＲＡ）手順］
上りリンクの同期確立は、ランダムアクセス（ＲＡ）手順に従って行われる。ＲＡ手順には、競合ベースＲＡ手順と、非競合ベースＲＡ手順がある。以下、その手順について説明する。
【００２７】
ステップ１：ランダムアクセス（ＲＡ）プリアンブル送信
競合ベースＲＡ手順の場合、予め決められた複数のＲＡプリアンブル系列群から、移動局装置がＲＡプリアンブルを選択して基地局装置に送信する。非競合ベースＲＡ手順の場合は、競合ベースＲＡ手順で使用されないＲＡプリアンブル系列群から他の移動局装置で使用されていないＲＡプリアンブルを基地局装置が一つ選択し、ＰＤＣＣＨなどを通じて予め移動局装置に通知したものを移動局装置が使用して送信する。
【００２８】
ステップ２：ランダムアクセスレスポンス（ＲＡＲ）受信
移動局装置は、ＲＡプリアンブル送信後、基地局装置からのランダムアクセスレスポンス（ＲＡＲ）の受信を待つ。ＲＡＲを受信したら、それに含まれるＲＡプリアンブルのインデックスが、移動局装置が送信したＲＡプリアンブルのインデックスと同じか確認し、同じだった場合は、ＲＡＲに含まれるタイミングアドバンスコマンド  ＭＡＣ  ＣＥに従って上りリンクタイミング調整を適用する。非競合ベースＲＡ手順の場合は、この時点でＲＡ手順が完了し、上りリンク同期が確立する。競合ベースＲＡ手順の場合は、ステップ１で選択したＲＡプリアンブルが他の移動局装置と競合している場合を考慮し、その競合を解決するため、次の手順に進む。
【００２９】
ステップ３：上りリンクデータ送信
移動局装置は、ＲＡＲに含まれる上りリンク送信スケジューリング情報に従って、移動局装置を一意に識別する情報（上位レイヤでの識別子やＣ−ＲＮＴＩなど）、および上位レイヤのメッセージなどを基地局装置に送信する。
【００３０】
ステップ４：競合解決
ステップ３で送信した移動局装置を一意に識別する情報を含むメッセージを受信するか、あるいはＰＤＣＣＨを通じてステップ３で送信したＣ−ＲＮＴＩ宛てのＤＣＩを受信することにより、競合が解決され、競合ベースＲＡ手順が完了し、上りリンク同期が確立する。
【００３１】
しかしながら、従来の技術では、ＳＲの送信回数がＳＲ最大送信回数に達しても、基地局装置からの上りリンクデータ送信用ＵＬ−ＳＣＨリソース割り当てを行う上りリンクグラントを受信できなかった場合、すべてのサービングセルに構成されているＧＦは送信を停止し、保存しているＧＦの設定情報をクリアしなければならない。その後、ＳｐＣｅｌｌ上でＲＡ手順による上りリンク同期再確立を実施しても、ＲＲＣによるＧＦの再構成をサービングセル毎に行う必要があり、効率が悪い。また低遅延が要求されるＵＲＬＬＣなどでは、影響が深刻になる。以下、上記課題に対する解決策を、本発明の実施形態として説明する。
【００３２】
（第１の実施形態）
以下、図面を参照して、本発明の一態様である第１の実施形態について説明する。図１は本実施形態における移動局装置内のＭＡＣエンティティの構成の一例である。図１において、１０１は制御部であり、すべての構成部を制御する。１０２は上位レイヤインタフェース部であり、ＰＤＣＰおよびＲＬＣ、およびＲＲＣなどの上位レイヤとの論理チャネルの設定および管理を行い、その論理チャネルを通じて上りリンクデータおよび下りリンクデータの送受信を行う。１０３は上りリンクＰＤＵ（Ｐｒｏｔｏｃｏｌ  Ｄａｔａ  Ｕｎｉｔ）構成部であり、論理チャネルを通じて受信した上位レイヤからの上りリンク送信データにヘッダ付加や、複数の論理チャネルのデータの結合などを行い、上りリンクＰＤＵを構成する。１０４は送信処理部であり、上りリンクＰＤＵ構成部１０３が作成した上りリンクＰＤＵに誤り訂正符号化処理や変調処理などを行い、上りリンクリソース管理部１０６からの指示に従って、上りリンクデータやＳＲなどの上りリンク制御情報の上りリンク物理リソースへのマッピングを行う。１０５はＳＲ送信回数カウンタ部であり、ＳＲ送信回数のカウントを行う。上りリンクリソース管理部１０６は、基地局装置から割り当てられた上りリンク物理リソースの管理を行い、上りリンクＰＤＵと上りリンク物理リソースのマッピングの制御や、ＳＲ送信の制御や管理を行う。受信処理部１０７は、無線インタフェース部１０９からの受信信号に対して復調や誤り訂正符号の復号を行い、下りリンクＰＤＵの再構成を行う。下りリンクＰＤＵ分離部１０８は、受信処理部１０７から受信した下りリンクＰＤＵから一つもしくは複数のデータに分離し、ユーザデータや制御データは上位レイヤインタフェース部１０２を介して上位レイヤに送り、ＣＥ（Ｃｏｎｔｒｏｌ  Ｅｌｅｍｅｎｔ）データは制御部１０１に送る。１１０は下りリンクリソース管
理部であり、基地局装置から割り当てられた下りリンク物理リソースの管理を行う。無線インタフェース部１０９は、基地局装置と無線信号の送受信を行う。
【００３３】
図２を用いて、本発明の一態様として、各時間における基地局装置と移動局装置のメッセージおよびデータの送受信の流れと、移動局装置におけるＧＦの状態の変化について説明する。まず、移動局装置は基地局装置と正常に接続し、ＧＦもアクティブ状態とする。次に時間ｔ００において、送信すべき上りリンクデータが発生し、基地局装置にその上りリンクデータの送信用ＵＬ−ＳＣＨリソース割り当てを要求するためのＳＲの送信がトリガされる。次に時間ｔ０１において、ＳＲ送信機会が発生し、基地局装置に対して１回目のＳＲ送信が行われる（メッセージｍ２０１）。その後、時間ｔ０２のＳＲ送信機会までに基地局装置からのＵＬ−ＳＣＨリソース割り当てを行う上りリンクグラントを受信しなかった場合、基地局装置に対して２回目のＳＲ送信が行われる（メッセージｍ２０２）。その後も基地局装置からの上りリンクグラントを受信することなく、ＳＲ送信機会の都度ＳＲ送信を行い、時間ｔ１０のＳＲ送信機会にてＴｍａｘ回目のＳＲ送信を行ったものとする（メッセージｍ２１０）。ここでＴｍａｘは、ＲＲＣによって予め設定されるＳＲ最大送信回数（ｓｒ−ＴｒａｎｓＭａｘ）である。その後も基地局装置からの上りリンクグラントを受信することなく、時間ｔ１１においてＳＲ送信機会が発生した場合、すべてのサービングセルの上りリンクＧＦの送信を停止し、サスペンドする。その後、移動局装置と基地局装置の間で、ＲＡ手順による上りリンク再同期確立処理が開始される（メッセージｍ２１１）。そして、時間ｔ２０にてＲＡ手順が完了し、上りリンクの同期が再確立されると、すべてのサービングセルに構成されサスペンドされているすべてのＧＦの再初期化を行いアクティブ状態として送信が再開される。なお、時間ｔ２０におけるＲＡ手順の完了とは、前述のとおり競合ベースＲＡ手順の場合はステップ４の競合解決の完了時であり、非競合ベースＲＡ手順の場合はステップ２のＲＡＲ受信時である。
【００３４】
なお、ＳＲ最大送信回数超過によるＧＦのサスペンドや、上りリンク同期再確立処理後に行われるサスペンドされたＧＦの再初期化は、すべてのサービングセルに構成されているＧＦに対して行われてもよいし、ＳＲ最大送信回数超過が発生したサービングセルのみに行われてもよい。また、全部または一部のサービングセルに複数の上りリンクＢＷＰが設定されている場合、ＳＲ最大送信回数超過に起因するＧＦのサスペンドは、すべてのサービングセルのアクティブ上りリンクＢＷＰ上に構成されているＧＦに対して行ってもよいし、ＳＲ最大送信回数超過が発生したサービングセルのアクティブ上りリンクＢＷＰ上に構成されているＧＦに対してのみに行ってもよい。また、上りリンク同期再確立処理後のサスペンドされたＧＦの再初期化は、上りリンク同期再確立時にアクティブとなっている上りリンクＢＷＰ上に構成されサスペンドされているＧＦのに対して行うようにしてもよい。さらに、複数のＴＡＧが構成されている場合、ＳＲ最大送信回数超過が発生したＴＡＧに属するサービングセルに構成されているＧＦをサスペンドし、そのＴＡＧに対する上りリンク同期再確立処理を行った後、そのＴＡＧに属するサービングセルで構成およびサスペンドされているＧＦの再初期化を行ってもよい。
【００３５】
以上説明したとおり、本発明の一態様を適用することによって、ＳＲ最大送信回数超過による上りリンク同期再確立処理が発生した場合でも、その後上りリンク同期再確立後にＲＲＣによるＧＦ再構成を行う必要がなく、送信遅延を最小限にすることが可能となる。
【００３６】
（第２の実施形態）
従来では、ＳＲの送信回数がＳＲ最大送信回数に達し、その後も基地局装置からのＵＬ−ＳＣＨリソース割り当てを示す上りリンクグラントを受信せず、その次のＳＲ送信機会が発生した場合に、すべてのサービングセル上に構成されるＧＦ、ＵＬ−ＳＰＳおよびＤＬ−ＳＰＳをクリアするが、そのことをＲＲＣなどの上位レイヤへ通知しないため、ＭＡＣ層や物理層と上位レイヤとの間で齟齬が生じ、その結果、上りリンク同期再確立後にＲ
ＲＣからのＧＦの再構成が行われないか、もしくは遅れることが考えられる。この課題に対する解決策を、第２の実施形態として説明する。
【００３７】
ＳＲの送信回数がＳＲ最大送信回数に達しても基地局装置からの上りリンクグラントを受信せず、その次のＳＲ送信機会が発生した場合、すべてのサービングセル上に構成されるすべてのＧＦ、ＵＬ−ＳＰＳおよびＤＬ−ＳＰＳの送受信を停止し、さらにすべてのサービングセル上に構成されるすべてのＧＦ、ＵＬ−ＳＰＳおよびＤＬ−ＳＰＳをリリースするようにＲＲＣに通知する。また、ＳＲ最大送信回数超過に起因するＧＦ、ＵＬ−ＳＰＳおよびＤＬ−ＳＰＳの送受信停止およびＲＲＣへのリリース通知は、すべてのサービングセルに構成されているＧＦ、ＵＬ−ＳＰＳおよびＤＬ−ＳＰＳに対して行われてもよいし、ＳＲ最大送信回数超過が発生したサービングセルのみに構成されているＧＦ、ＵＬ−ＳＰＳおよびＤＬ−ＳＰＳに対して行われてもよい。また、全部または一部のサービングセルに複数の上りリンクＢＷＰおよび下りリンクＢＷＰが設定されている場合、ＳＲ最大送信回数超過に起因するＧＦ、ＵＬ−ＳＰＳおよびＤＬ−ＳＰＳの送受信停止およびはＲＲＣへのリリース通知は、すべてのサービングセルのアクティブ上りリンクＢＷＰ上に構成されているＧＦおよびＵＬ−ＳＰＳ、およびアクティブ下りリンクＢＷＰ上に構成されているＤＬ−ＳＰＳに対して行ってもよいし、ＳＲ最大送信回数超過が発生したサービングセルのアクティブ上りリンクＢＷＰ上に構成されているＧＦ、ＵＬ−ＳＰＳ、およびアクティブ下りリンクＢＷＰ上に構成されているＤＬ−ＳＰＳに対してのみに行ってもよい。さらに、複数のＴＡＧが構成されている場合、ＳＲ最大送信回数超過が発生したＴＡＧに属するサービングセルに構成されているＧＦ、ＵＬ−ＳＰＳおよびＤＬ−ＳＰＳの送受信停止およびＲＲＣへのリリース通知を行ってもよい。なお、上述したすべての場合において、ＳＲの送信回数がＳＲ最大送信回数に達しても基地局装置からの上りリンクグラントを受信せず、その次のＳＲ送信機会が発生した場合、上りリンクのＧＦおよびＵＬ−ＳＰＳの送信停止およびＲＲＣへのリリース通知のみを行い、下りリンクのＤＬ−ＳＰＳの受信停止およびＲＲＣへのリリース通知は行わないようにしてもよい。また、上述したすべての場合において、ＳＲの送信回数がＳＲ最大送信回数に達しても基地局装置からの上りリンクグラントを受信せず、その次のＳＲ送信機会が発生した場合、サービングセルに構成されているＧＦ、ＵＬ−ＳＰＳおよびＤＬ−ＳＰＳの構成をクリアしてもよい。
【００３８】
以上説明したとおり、本発明の一態様を適用することによって、上りリンク同期再確立後にＧＦ、ＵＬ−ＳＰＳおよびＤＬ−ＳＰＳの再構成および送受信再開が迅速に行われることが可能となる。
【００３９】
なお、本発明を適用する通信システム、基地局装置、移動局装置、通信方法は３ＧＰＰの第５世代通信規格（ＮＲ）に限定されず、他の通信システムで使用される通信規格に適用してもよい。
【００４０】
また、以上で説明した移動局装置、基地局装置の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４１】
また、「コンピュータシステム」は、ＷＷＷシステムを利用している場合であれば、ホームページ提供環境（あるいは表示環境）も含むものとする。
【００４２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」
とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４３】
また、移動局装置、基地局装置の全部または一部の機能を集積回路に集約して実現してもよい。各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００４４】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００４５】
本発明は、有線および無線での通信システムや通信装置に用いて好適である。
【符号の説明】
【００４６】
１０１…制御部
１０２…上位レイヤインタフェース部
１０３…上りリンクＰＤＵ構成部
１０４…送信処理部
１０５…ＳＲ送信回数カウンタ部
１０６…上りリンクリソース管理部
１０７…受信処理部
１０８…下りリンクＰＤＵ分離部
１０９…無線インタフェース部
１１０…下りリンクリソース管理部
【図１】
2019198012.tif 000003
【図２】
2019198012.tif 000004